(57)【特許請求の範囲】
【請求項１】
２段階の電圧のＯＮ／ＯＦＦ信号を有する第１の暖房コントローラーと、シリアル信号方式の第２の暖房コントローラーと、前記第１の暖房コントローラー及び前記第２の暖房コントローラーからの信号を入力する信号入力手段と、前記信号入力手段から信号により第１の暖房コントローラーの信号を判定する第１の信号判定部と、前記入力手段からの信号により第２の暖房コントローラーの信号を判定する第２の信号判定部と、暖房燃焼部と、前記第１の信号判定部及び前記第２の信号判定部からの信号により前記暖房燃焼部を制御する制御部とを備えた給湯暖房機の制御装置。
【請求項２】
２段階の電圧のＯＮ／ＯＦＦ信号を有する第１の暖房コントローラーとシリアル信号方式の第２の暖房コントローラーと、前記第１暖房コントローラー及び前記第２の暖房コントローラーからの信号を入力する信号入力手段と、前記信号入力手段からの信号により別の信号に変換する信号変換部と、前記信号変換部からの信号を判定する信号判定部と、暖房燃焼部と、前記信号判定部の信号により前記暖房燃焼部を制御する制御部とを備えた給湯暖房機の制御装置。
【請求項３】
信号判定部は電源投入信号にもとづいて信号入力手段に接続された暖房コントローラーの種別を判別する請求項１又は２記載の給湯暖房機の制御装置。
【請求項４】
信号判定部は暖房コントローラー接続時にその種別を判定する請求項１又は２記載の給湯暖房機の制御装置。
【請求項５】
信号判定部は電源投入信号にもとづいて信号入力手段に接続された暖房コントローラーの種別を判定するとともに上記電源投入時に第１の暖房コントローラーからの信号がＯＮで接続された場合異常と判断する請求項１又は２記載の給湯暖房機の制御装置。
【請求項６】
信号判定部は入力信号がシリアル信号の場合、所定時間が経過するまでに入力信号が変化するか否かを判断し、入力信号がＯＮまたはＯＦＦのままで所定時間経過した場合に異常と判断する請求項１又は２記載の給湯暖房機の制御装置。
【発明の詳細な説明】
【０００１】
【発明の属する技術分野】
本発明は、給湯暖房機の制御装置に関するものである。
【０００２】
【従来の技術】
従来、暖房コントローラーは、２段階の電圧のＯＮ／ＯＦＦ信号を有する暖房コントローラーとシリアル信号方式の暖房コントローラーの２種類あり、給湯暖房機の暖房コントローラー接続端子及び信号判定回路は、それぞれ別々に設けていた。以下、その構成について図４、図５を参照しながら説明する。
【０００３】
図４に示すように、給湯暖房機１６と暖房コントローラー１７は信号線で接続されており、暖房コントローラー１７は給湯暖房機１６に暖房運転要求信号を出力すると同時に弁１８を開け暖房運転を行う。
【０００４】
次に、給湯暖房機の制御装置の構成について図５を用いて説明する。図において、２段階の電圧のＯＮ／ＯＦＦ信号を有する第１の暖房コントローラー１の信号を入力する第１の信号入力手段１１と、第１の信号入力手段１１からの信号を判定する第１の信号判定部１３と、シリアル信号方式の第２の暖房コントローラー２の信号を入力する第２の信号入力手段１２と、第２の信号入力手段１２からの信号を判定する第２の信号判定部１４と、暖房燃焼部７と、前記第１の信号判定部１３と前記第２の信号判定部１４の信号を受けて前記暖房燃焼部７に信号を出力する制御部１５とから構成されていた。
【０００５】
【発明が解決しようとする課題】
しかしながら、上記ような構成では、給湯暖房機は２段階の電圧のＯＮ／ＯＦＦ信号を有する暖房コントローラーとシリアル信号方式の暖房コントローラーの２種類に対応する接続端子を有しているため、工事業者の誤接続や、２種類の信号判定回路を有しているためコストアップになるという課題を有していた。
【０００６】
【課題を解決するための手段】
上記課題を解決するために本発明は、暖房コントローラーの接続端子に上記２種類の暖房コントローラーのどちらが接続されても、入力信号を判定する信号判定部を設けてたものである。これによって２種類の暖房コントローラーのどちらが接続端子に接続されても暖房燃焼を行うことができる。
【０００７】
【発明の実施の形態】
本発明の請求項１記載に係る発明は、２段階の電圧のＯＮ／ＯＦＦ信号を有する第１の暖房コントローラーの信号とシリアル信号方式の第２の暖房コントローラーの信号を入力する信号入力手段と、信号入力手段からの２段階の電圧のＯＮ／ＯＦＦ信号を有する第１の暖房コントローラーの信号を判定する第１の信号判定部と、信号入力手段からのシリアル信号方式の第２の暖房コントローラーの信号を判定する第２の信号判定部と、第１の信号判定部と第２の信号判定部の信号を受けて信号を出力する制御部を備えたものである。そして、１つの信号入力手段で複数の暖房コントローラーの信号を判定することができる。
【０００８】
本発明の請求項２記載に係る発明は、２段階の電圧のＯＮ／ＯＦＦ信号を有する第１の暖房コントローラーの信号とシリアル信号方式の第２の暖房コントローラーの信号を入力する信号入力手段と、信号入力手段からの暖房コントローラーの信号を変換する信号変換部と、信号変換部からの信号を判定する信号判定部と、信号判定部の信号を受けて信号を出力する制御部を備えたものである。そして請求項１記載に係る発明と同様に、１つの信号入力手段で複数の暖房コントローラーの信号を判定することができる。
【０００９】
本発明の請求項３記載に係る発明は、信号判定部は電源投入信号に基づいて信号入力手段に接続された暖房コントローラーの種別を判別するようにしたものである。これによって以後、信号入力手段から入力される信号をどの暖房コントローラーの信号を記憶しておくことができる。
【００１０】
本発明の請求項４記載に係る発明は、信号判定部は暖房コントローラー接続時にその種別を判定するようにしたものである。これによって以後、信号入力手段から入力される信号をどの暖房コントローラーの信号かを記憶しておくことができる。
【００１１】
本発明の請求項５記載に係る発明は、信号判定部は電源投入信号にもとづいて信号入力手段に接続された暖房コントローラーの種別を判定するとともに上記電源投入時に第１の暖房コントローラーからの信号がＯＮで接続された場合異常と判断するようにしたものである。これによって第１の暖房コントローラーの回路短絡と区別することが可能となる。
【００１２】
本発明の請求項６記載に係る発明は、信号判定部は入力信号がシリアル信号の場合、所定時間が経過するまでに入力信号が変化するか否かを判断し、入力信号がＯＮまたはＯＦＦのままで所定時間経過した場合に異常と判断するようにしたものである。これによって、暖房コントローラーの回路短絡と区別することが可能となる。
【００１３】
以下、本発明の実施例について図面を用いて説明する。
（実施例１）
図１（ａ）、（ｂ）、（ｃ）において、２段階の電圧のＯＮ／ＯＦＦ信号を有する第１の暖房コントローラー１の信号とシリアル信号方式の第２の暖房コントローラー２の信号を入力する信号入力手段３と、信号入力手段３からの２段階の電圧のＯＮ／ＯＦＦ信号を有する第１の暖房コントローラー１の信号を判定する第１の信号判定部４と、信号入力手段３からのシリアル信号方式の第２の暖房コントローラー２の信号を判定する第２の信号判定部５と、暖房燃焼部７と、第１の信号判定部４と第２の信号判定部５の信号を受けて信号を出力する制御部６を備えている。
【００１４】
上記構成において動作を説明すると、第１の信号判定部４は、第２の暖房コントローラー２の信号が入力されても無視し、第１の暖房コントローラー１の信号が入力された時だけ制御部６に信号を出力する。同様に第２の信号判定部５は、第１の暖房コントローラー１の信号が入力されても無視し、第２の暖房コントローラー２の信号が入力された時だけ制御部６に信号を出力する。
【００１５】
このように本発明によれば、１つの信号入力手段で、複数の暖房コントローラー信号を判定することができる。
【００１６】
（実施例２）
図２において、２段階の電圧のＯＮ／ＯＦＦ信号を有する第１の暖房コントローラー１の信号とシリアル信号方式の第２の暖房コントローラー２の信号を入力する信号入力手段３と、信号入力手段３からの２段階の電圧のＯＮ／ＯＦＦ信号を有する第１の暖房コントローラー１の信号とシリアル信号方式の第２の暖房コントローラー２の信号を変換する信号変換部８と、信号変換部８からの信号を判定する信号判定部９と、暖房燃焼部７と、信号判定部９の信号を受けて暖房燃焼部７に信号を出力する制御部１０を備えている。
【００１７】
上記構成において動作を説明すると、信号変換部８は第１の暖房コントローラー１と第２の暖房コントローラー２の信号を、例えば、周波数やデューティーが異なる信号に変換を行い信号判定部９に出力する。信号判定部９は信号変換部８で変換された信号を判断し、その信号が第１の暖房コントローラー１のものであるか第２の暖房コントローラー２のものであるか判断する。なお、実施例１と同様に、１つの信号入力手段で、複数の暖房コントローラー信号を判定することができる。
【００１８】
（実施例３）
図３において、電源投入後、Ａにて第１の暖房コントローラー接続か否かの判断を行い、接続であれば、Ｂにて第１の暖房コントローラーの接続を記憶する。Ｂにて接続記憶後、第１の暖房コントローラー以外の信号が入力された場合、エラーと判定する構成としている。
【００１９】
（実施例４）
図３において、Ｅにて信号が入力されれば、Ｆにて第１の暖房コントローラー接続であるか否か判定を行い、第１の暖房コントローラーが接続されればＧにて第１の暖房コントローラーの接続を記憶する。Ｇにて第１の暖房コントローラーの接続記憶後、第１の暖房コントローラー以外の信号が入力された場合、エラーと判定する構成としている。
【００２０】
（実施例５）
図３において、Ａにて第１の暖房コントローラー接続か否かの判定を行い、接続でない場合、Ｃで信号がＨｉか否かの判定を行い、Ｈｉであればエラー判定する構成としている。
【００２１】
電源投入後、入力された信号がＨｉである場合、第１の暖房コントローラーの回路短絡によるものなのか、第２の暖房コントローラーがＯＮで接続されたものなのか判定ができない。従って、第１の暖房コントローラーがＯＮで接続されることは非常に希であるため、エラー判定としている。
【００２２】
（実施例６）
図３において、第１の暖房コントローラー接続記憶後に示すフローで、入力信号がシリアル信号の場合の異常について判断を行うようにしている。Ｈにて入力信号がＨｉか否かの判定を行い、Ｈｉであれば、Ｉで所定時間経過か否かを判断し、所定時間経過であればエラー判定を行う。Ｈにて入力信号がＨｉでなければ、Ｊにて所定時間経過か否かを判断し、所定時間経過であれば、エラー判定を行う。
【００２３】
【発明の効果】
以上のように本発明によれば、１つの信号入力手段に２種類の入力信号の異なる暖房コントローラーのいづれかが接続でき、どちらの暖房コントローラーが接続されても信号を判断することができる。
【００２４】
また、工事業者が、接続する暖房コントローラーの種類を選ぶ必要がなく、誤接続の心配がない。
【００２５】
また、２種類の接続端子と信号判定回路を有する必要がないため、コストダウンになる。
【図面の簡単な説明】
【図１】（ａ）本発明の実施例１における給湯暖房機の制御装置のブロック図
（ｂ）同装置の第１の暖房コントローラの信号を示す図
（ｃ）同装置の第２の暖房コントローラの信号を示す図
【図２】本発明の実施例２における給湯暖房機の制御装置のブロック図
【図３】本発明の実施例３〜６における給湯暖房機の制御装置を説明するフローチャート
【図４】従来の給湯暖房機のシステムを示すブロック図
【図５】同暖房機の制御装置のブロック図
【符号の説明】
１  第１の暖房コントローラー
２  第２の暖房コントローラー
３  信号入力手段
４  第１の信号判定部
５  第２の信号判定部
６、１０  制御部
７  暖房燃焼部
８  信号変換部
９  信号判定部
【図１】
0003780604.tif 000002
【図２】
0003780604.tif 000003
【図３】
0003780604.tif 000004
【図４】
0003780604.tif 000005
【図５】
0003780604.tif 000006